(57)【要約】【課題】建物の天井、壁あるいは床に張り付けられた内装用のビニルクロスの汚れを、迅速かつ完全に除去することができ、該ビニルクロスを良好な美観を呈するように再生する方法を提供する。【解決手段】内装用のビニルクロスの表面に、アルカリ性無機洗浄剤と第１漂白剤と剥離液とが水に溶解されてなる洗浄処理液を塗布した上でブラシ掛け処理を施し、水濯ぎ処理を施した後、ビニルクロスの表面に染み抜き用溶剤と第２漂白剤とを含有する染み抜き液を塗布した上でブラシ掛け処理を施し、水濯ぎ処理を施した後加熱・乾燥処理を施すことにより、ビニルクロスを良好な美観を呈するように再生する。【選択図】　図１
2004008739.tif 000002
【特許請求の範囲】
【請求項１】
天井又は壁に張り付けられた内装用のビニルクロスの再生方法であって、
上記ビニルクロスの表面に、アルカリ性無機洗浄剤と第１漂白剤とが水に溶解されてなる洗浄処理液を散布し、
上記洗浄処理液が散布されたビニルクロスの表面に物理的洗浄処理を施し、
上記物理的洗浄処理が施されたビニルクロスの表面に水濯ぎ処理を施し、
上記水濯ぎ処理が施されたビニルクロスの表面に、水溶性溶剤と第２漂白剤とをそれぞれ単独で散布し、
上記水溶性溶剤や第２漂白剤が散布されたビニルクロスの表面に物理的染み抜き処理を施し、
上記物理的染み抜き処理が施されたビニルクロスの表面に水濯ぎ処理を施すことを特徴とするビニルクロスの再生方法。
【請求項２】
上記物理的染み抜き処理の後、ビニルクロスに、加熱・乾燥処理を施すことを特徴とする請求項１に記載のビニルクロスの再生方法。
【請求項３】
上記物理的洗浄処理と上記物理的染み抜き処理とを、それぞれブラシ掛け又は布拭きとりで行うことを特徴とする請求項１又は２に記載のビニルクロスの再生方法。
【請求項４】
上記洗浄処理液の水素指数がｐＨ１０以上であることを特徴とする請求項１〜３のいずれか１つに記載のビニルクロスの再生方法。
【請求項５】
上記アルカリ性無機洗浄剤が、アルカリ金属塩、珪酸塩又はアンモニア化合物を含有することを特徴とする請求項１〜４のいずれか１つに記載のビニルクロスの再生方法。
【請求項６】
上記水溶性溶剤が、メチルエーテル、エチルエーテル、ブチルエーテル、メチレングリコール、エチレングリコール、ブチレングリコール又はキシレンであることを特徴とする請求項１〜５のいずれか１つに記載のビニルクロスの再生方法。
【請求項７】
上記第１漂白剤と上記第２漂白剤とが、それぞれ、酸素系酸化型漂白剤と塩素系酸化型漂白剤とであることを特徴とする請求項１〜６のいずれか１つに記載のビニルクロスの再生方法。
【請求項８】
上記酸素系酸化型漂白剤が過酸化水素水溶液又は過酸化ナトリウム水溶液であり、上記塩素系酸化型漂白剤が次亜塩素酸ナトリウム水溶液であることを特徴とする請求項７に記載のビニルクロスの再生方法。
【請求項９】
上記物理的染み抜き処理又は加熱・乾燥処理の後、ビニルクロスの表面に、粒径０．２〜０．３ミクロンの吸音性微粒子を含むカラーコーティング剤をコーティングすることを特徴とする、請求項１〜８のいずれか１つに記載のビニルクロスの再生方法。
【請求項１０】
上記カラーコーティング剤のコーティングに先立って、ビニルクロスの表面に、殺菌処理及び消臭処理を施すことを特徴とする請求項９に記載のビニルクロスの再生方法。
【発明の詳細な説明】
【０００１】
【発明の属する技術分野】
本発明は、天井又は壁に張り付けられた内装用のビニルクロスを洗浄してその汚れを除去し、該ビニルクロスを再生するようにしたビニルクロスの再生方法に関するものである。
【０００２】
【従来の技術】
一般に、建物の天井、壁等には、内装用素材を用いて内装が施されるが、かかる内装用素材としては、美観に優れていることから、従来より塩化ビニル等からなるビニルクロスが広く用いられている。しかしながら、かかるビニルクロスは、自然劣化により、あるいは煙草の煙、油煙、スス、かびの発生等により次第に汚れてゆく。そして、このような汚れが目立つようになったときには、通常、天井又は壁に改装が施される。このような改装を行う場合、従来は、汚れたビニルクロスを剥がして、新しいビニルクロスに張り替えるといった対応がなされている。
【０００３】
【発明が解決しようとする課題】
しかしながら、このようにビニルクロスを張り替える場合、張り替え工事に長時間を要するとともに、そのコストが非常に高くつくといった問題がある。すなわち、新たにビニルクロスを購入しなければならず、また古いビニルクロスを剥がした上で、新しいビニルクロスを張るのにかなりの労力を要し、その手間賃が高くなる。さらには、剥がしたビニルクロスを廃棄処理しなければならないといった問題がある。
【０００４】
そこで、ビニルクロスを洗浄により再生するといった対応が考えられるが、煙草の煙、油煙、スス、かび等によるビニルクロスの汚れは、通常、極めて除去しにくく、またたとえ大部分の汚れを除去できたとしても一部の汚れはビニルクロスに残留するので、仕上がりが斑になり、美観を十分には回復させることができない。また、汚れたビニルクロスに塗料等を塗装して汚れを隠すといった対応も考えられるが、この場合も、通常は仕上がり状態が不自然なものとなり、美観を十分に回復させることができない。
【０００５】
本発明は、上記従来の問題を解決するためになされたものであって、建物の天井又は壁に張り付けられたビニルクロスの汚れを完全に除去することができ、該ビニルクロスを良好な美観を呈するように再生することができるビニルクロスの再生方法を提供することを解決すべき課題とする。
【０００６】
【課題を解決するための手段】
上記課題を解決するためになされた本発明にかかる、天井又は壁に張り付けられた内装用のビニルクロスの再生方法は、（ａ）ビニルクロスの表面に、アルカリ性無機洗浄剤と第１漂白剤とが水に溶解されてなる洗浄処理液を散布し、（ｂ）洗浄処理液が散布されたビニルクロスの表面に物理的洗浄処理を施し、（ｃ）物理的洗浄処理が施されたビニルクロスの表面に水濯ぎ処理を施し、（ｄ）水濯ぎ処理が施されたビニルクロスの表面に、水溶性溶剤と第２漂白剤とをそれぞれ単独で散布し、（ｅ）水溶性溶剤や第２漂白剤が散布されたビニルクロスの表面に物理的染み抜き処理を施し、（ｆ）物理的染み抜きが施されたビニルクロスに水濯ぎ処理を施すことを特徴とするものである。
【０００７】
このビニルクロスの再生方法によれば、ビニルクロスの汚れを完全に除去することができ、該ビニルクロスを良好な美観を呈するように再生することができる。また、ビニルクロスの取り替えは不要であるので、廃棄物が出ない。
【０００８】
このビニルクロスの再生方法においては、ビニルクロスの乾燥を早めるために、物理的染み抜き処理の後、ビニルクロスに、乾燥処理（例えば、ブロワによる空気の吹き付け）、あるいは加熱（加温）・乾燥処理（例えば、温風ドライヤーによる温風の吹き付け）を施すのが好ましい。
【０００９】
物理的洗浄処理あるいは物理的染み抜き処理は、具体的には、例えば、ブラシ掛け又は布拭きとり等により行うことができる。
【００１０】
洗浄処理液の水素指数は、ｐＨ１０以上であるのが好ましい。このようにすれば、洗浄力が大幅に高められる。アルカリ性無機洗浄剤は、アルカリ金属塩、珪酸塩又はアンモニア化合物を含有するのが好ましい。水溶性溶剤としては、例えば、メチルエーテル、エチルエーテル、ブチルエーテル、メチレングリコール、エチレングリコール、ブチレングリコール等を用いることができる。
【００１１】
第１漂白剤と第２漂白剤とは、それぞれ、酸素系酸化型漂白剤と塩素系酸化型漂白剤とであるのが好ましい。このようにすれば、漂白力が大幅に高められる。このような酸素系酸化型漂白剤としては、例えば過酸化水素水溶液（１〜３５ｗｔ％）あるいは過酸化ナトリウム水溶液（１〜２０ｗｔ％）を用いることができる、また、塩素系酸化型漂白剤としては、次亜塩素酸ナトリウム水溶液（有効塩素１〜１２ｗｔ％）を用いることができる。
【００１２】
このビニルクロスの再生方法においては、物理的染み抜き処理又は加熱・乾燥処理の後、ビニルクロスの表面に、粒径０．２〜０．３ミクロンの吸音性微粒子を含むカラーコーティング剤をコーティングするのが好ましい。このようにすれば、ビニルクロスの美観がさらに良好となる。また、カラーコーティング剤のコーティングに先立って、ビニルクロスの表面に、殺菌処理及び消臭処理を施すのが一層好ましい。
【００１３】
【発明の実施の形態】
以下、図１に示すフローチャートを参照しつつ、本発明の実施の形態にかかる内装用のビニルクロスの再生方法を具体的に説明する。
図１に示すように、このビニルクロスの再生工程においては、まず、低圧の噴霧器を用いて、ビニルクロスの表面に、アルカリ性無機洗浄剤と第１漂白剤とが水に溶解されてなる洗浄処理液を散布（塗布）する（ステップＳ１）。なお、洗浄処理液の散布量（塗布量）は、１０〜１００ｇ／ｍ２程度とするのが好ましい。
【００１４】
ここで、洗浄処理液は、ｐＨが１０以上であり（アルカリ性）、広範囲な汚れを落とすことができるものである。代表的なアルカリ性無機洗浄剤としては、例えば、ナトリウム系あるいはカリウム系等のアルカリ金属塩、珪酸塩、アンモニア化合物などのアルカリ性物質を含有する水系洗浄剤があげられる。
【００１５】
第１漂白剤は、ビニルクロスを高明度に仕上げるために用いられる。第１漂白剤は、アルカリ側で効果が大きい酸素系酸化型漂白剤であるのが好ましく、具体的には、例えば過酸化水素１〜３５ｗｔ％水溶液、過酸化ナトリウム１〜２０ｗｔ％水溶液などが用いられる。
【００１６】
続いて、洗浄処理液が散布されたビニルクロスの表面にブラシ掛け（物理的洗浄）を行う（ステップＳ２）。このブラシ掛けは、洗浄処理液の散布後、５〜１５分程度の時間をおいて行うのが好ましい。具体的には、洗浄処理液が散布されたビニルクロスの表面をブラシでこすることにより、汚れが落とされる。なお、この場合、床下に水が漏れないように、水をよく吸収する布などをあらかじめ床一面に敷いておくのが好ましい。
【００１７】
ここで、ブラシ掛けに代えて、接触面が平らな棒つきモップにタオル等の布をまいて汚れや洗剤を拭きとるといった布拭きとりによる物理的洗浄を行うようにしてもよい。
【００１８】
次に、ブラシ掛けが行われたビニルクロスの表面に水濯ぎ処理を施す。これにより、ビニルクロスの表面に付着している洗浄処理液が除去される（ステップＳ３）。
【００１９】
さらに、水濯ぎ処理が施されたビニルクロスの表面に、水溶性溶剤（染み抜き液）と第２漂白剤（染み抜き液）とをそれぞれ単独で散布（塗布）する（ステップＳ４）。ここで、水溶性溶剤としては、ビニルクロス（とくに、塩化ビニルクロスの場合）の中に浸透して汚れを浮き出させるために、ビニルクロスを傷めないタイプの水溶性溶剤、例えばメチルエーテル、エチルエーテル、ブチルエーテル、メチレングリコール、エチレングリコール、ブチレングリコール等を用いるのが好ましい。なお、局所的な汚れをとる場合は、芳香族系の有機溶剤、例えばキシレンなどが有効である。
【００２０】
第２漂白剤としては、塩素系酸化型漂白剤、例えば次亜塩素酸ナトリウム水溶液（有効塩素１〜１２ｗｔ％）などが有効である。漂白力の強い塩素系酸化型漂白剤は、短時間で漂白効果が生じるので、時間的にも作業性がよい。静電気、熱跡、もの跡等による頑固な汚れの染み抜きを行う場合は、塩素系酸化型漂白剤で繰り返し染み抜き作業を行うのが好ましい。作業時間を短縮するためには、塩素系酸化型漂白剤を無機、有機の酸性物質により酸性にした使用条件で脱色処理するのが好ましい。なお、作業中の塩素系酸化型漂白剤の急激な分解を避けるためには、有機系の酸性物質を添加するのが望ましい。
【００２１】
そして、水溶性溶剤や第２漂白剤が散布されたビニルクロスの表面に、ブラシ掛けを行う（ステップＳ５）。
次に、ブラシ掛けが行われたビニルクロスの表面に水濯ぎ処理を施す（ステップＳ６）。これにより、ビニルクロスの表面に付着している各染み抜き液が除去される。この後、ビニルクロスの汚れの状態をみて、汚れが残っていれば、ステップＳ４〜Ｓ５を繰り返す。なお、ステップＳ１〜Ｓ５を繰り返してもよい。汚れが完全に落ちれば、ビニルクロスを水で濯いで染み抜き作業を終了する。
【００２２】
次に、洗浄及び染み抜きが完了したビニルクロスに、加熱・乾燥処理を施す（ステップＳ７）。なお、とくに必要がなければ、この加熱・乾燥処理は省略してもよい。
【００２３】
かくして、塩化ビニル等からなる内装用のビニルクロスの汚れを完全に除去することができ、該ビニルクロスを良好な美観を呈するように再生することができる。また、ビニルクロスの取り替えは不要であるので、廃棄物が出ない。かかるビニルクロスの再生方法によれば、ビニルクロスに染み込んだ汚れを完全に除去することができる。また、ビニルクロスの洗浄が均一な仕上がりになる。かかるビニルクロスの再生は、通常は１日の作業ですむが、汚れの程度あるいは種類によっては２日間にわたる場合もある。
【００２４】
ビニルクロスの汚れには、油汚れ、煙草の煙による汚れ、すす汚れ、かび汚れ、手垢による汚れ、静電気や熱による汚れ、家具の跡形による汚れ、飲み物やインキなどの飛沫が付着した汚れのほか、原因がはっきりしないものなど多種のものがある。これらの汚れは、洗浄が容易なもの、困難なものなど種々雑多であるが、本発明にかかるビニルクロスの洗浄方法によれば、かかる汚れを有効に落とすことができ、該ビニルクロスを良好な美観を呈するよう再生することができる。
【００２５】
ところで、このようにビニルクロスを洗浄及び染み抜きにより再生した後、さらにビニルクロスの表面に殺菌処理（除菌処理）及び消臭処理を施した上で（ステップＳ８）、粒径０．２〜０．３ミクロンの吸音性微粒子を含むカラーコーティング剤をコーティングするといったカラーコーティングを施してもよい（ステップＳ９）。このようにすれば、再生後におけるビニルクロスの美観が極めて良好となる。
【００２６】
以上、本発明にかかるビニルの再生方法によれば、このような不具合を生じさせることなく、建物の天井又は壁に張り付けられたビニルクロスの汚れを完全に除去することができ、ビニルクロスを良好な美観を呈するように再生することができる。
【図面の簡単な説明】
【図１】内装用のビニルクロスの再生工程のフローチャートである。
【図１】
2004008739.tif 000003